(57)【特許請求の範囲】
【請求項１】
防水ラインを形成する防水板の端部を支えるための柱材と、
前記防水ラインの一方側にて前記柱材及び傾斜地面に固定される傾斜下ベース部材と、
前記防水ラインの他方側にて前記柱材及び傾斜地面に固定される傾斜上ベース部材と、
を有し、
前記傾斜下ベース部材の前記柱材に対する相対角度が調整可能に構成され、
前記傾斜上ベース部材の前記柱材に対する相対角度が調整可能に構成され、
前記傾斜下ベース部材及び前記傾斜上ベース部材は、
前記柱材が傾斜地面に設置された際に前記柱材を垂直に立設させる角度において、前記柱材に固定される、
防水装置の柱体。
【請求項２】
前記柱材と、前記傾斜下ベース部材及び前記傾斜上ベース部材は、
前記柱材に設けた貫通穴と、
前記傾斜下ベース部材及び前記傾斜上ベース部材に設けた貫通穴に、
固定ボルトを挿入して締め付けることで連結されるものであり、
前記柱材に設けた貫通穴、及び／又は、
前記傾斜下ベース部材及び前記傾斜上ベース部材に設けた貫通穴は、
長孔形状とする、ことを特徴とする請求項１に記載の防水装置の柱体。
【請求項３】
前記傾斜下ベース部材、及び、前記傾斜上ベース部材には、
前記傾斜下ベース部材、又は、前記傾斜上ベース部材が前記防水ラインの内側に配置される場合において、
前記防水ラインの内側から柱材を支えるための支持部が設けられており、
前記支持部と、前記柱材の間に形成される隙間には、
スペーサーが挿設可能に構成される、
ことを特徴とする請求項１又は請求項２に記載の防水装置の柱体。
【請求項４】
前記傾斜上ベース部材は、
前記傾斜地面に設置される底板部と、
前記底板部から平行に立設されて対向する一対の側板部、を有し
前記側板部の端面にて前記支持部が構成され、
前記支持部には、前記底板部と９０度以下の角度をなす傾斜が設けられている、
ことを特徴とする請求項１乃至請求項３のいずれか一項に記載の防水装置の柱体。
【発明の詳細な説明】
【技術分野】
【０００１】
本発明は、建物の出入口や、地下施設への地上出入口などに設置され、豪雨時の雨水などの浸入を堰き止めるための防水装置に関し、より詳しくは、防水板を立設保持させるための柱体に関する。
【背景技術】
【０００２】
従来、豪雨発生時などにおいて雨水などが出入口内に浸入することを防止するための防水板（止水板とも称される）を備える防水装置が知られており、例えば、特許文献１に開示される技術が知られている。
【０００３】
特許文献１には、通路などの開口部において、その両側に側柱を配置すると共に、側柱の間に中柱を配置し、側柱と中柱の間に防水板（止水板）を設置する構成が開示されている。
【０００４】
ここで、中柱が設置される地面は必ずしも水平ではなく、勾配を有する傾斜地面で構成される場合が往々にある。例えば、地下駐車場の入り口のスロープなどが考えられ、このような傾斜地面に対し中柱を垂直に設置することが必要とされる。
【０００５】
他方、特許文献２には、設置場所が水平でない場合において、機器の脚を垂直に立設させるための設置機構に関する技術が開示されている。
【先行技術文献】
【特許文献】
【０００６】
【特許文献１】特開２０１２−０２１３５９号公報
【特許文献２】特開２０１１−２１３４７６号公報
【発明の概要】
【発明が解決しようとする課題】
【０００７】
傾斜地面に対し中柱を垂直に設置する場合には、中柱下端部と傾斜地面の間に勾配に合せた調整板（くさび等）を刺し込むことで、中柱を垂直に立設させることが考えられる。
【０００８】
しかしながら、中柱下端部と傾斜地面の間に勾配に合せた調整板を刺し込む対応では、まず、施工現場において勾配を実測し、その後、勾配に合せた調整板を個別に合うように製作し、中柱と調整板を組み付けた上で納品する必要がある。また、この対策では現場施工時において、勾配に対して角度が合わなかったときは製作し直すしかない。
【０００９】
このため、施工現場での実測、調整板の製作、納品といった複数段階の工程が必要となって納期がかかるとともに、調整板を個別に作製するなど製造管理の負担も大きなものとなる。
【００１０】
他方、特許文献２のように傾斜地面に対し柱（脚）を垂直に立設可能とする技術は存在するが、防水板の設置を考慮したものではなく、そのまま防水装置の中柱として適用できるものではない。具体的には、傾斜地面に板状の接地部材（第一平面）を載置し、その上に柱（脚）を立設する構成であるため、仮に、この構成を防水装置の中柱として用いるとすると、接地部材の厚さの分だけ防水板と傾斜地面の間に隙間が形成されることになり、水の浸入を防止できないことになる。また、接地部材と柱（脚）を連結させる接続部材についても、柱（脚）の両側に配置されており、仮に、柱（脚）に防水板を取り付けようとしても、接続部材と防水板が干渉してしまうことになる。以上のことから明らかなように、特許文献２の構成は、防水板を支える中柱としてそのまま適用できるものではない。
【００１１】
そこで、本発明は、以上の問題点に鑑み、防水装置の防水板を支える柱体について、傾斜地面に対して容易に施工可能な新規な技術を提案するものである。
【課題を解決するための手段】
【００１２】
本発明の解決しようとする課題は以上のごとくであり、次にこの課題を解決するための手段を説明する。
【００１３】
即ち、請求項１に記載のごとく、
防水ラインを形成する防水板の端部を支えるための柱材と、
防水ラインの一方側にて柱材及び傾斜地面に固定される傾斜下ベース部材と、
防水ラインの他方側にて柱材及び傾斜地面に固定される傾斜上ベース部材と、
を有し、
傾斜下ベース部材の柱材に対する相対角度が調整可能に構成され、
傾斜上ベース部材の柱材に対する相対角度が調整可能に構成され、
傾斜下ベース部材及び傾斜上ベース部材は、
柱材が傾斜地面に設置された際に柱材を垂直に立設させる角度において、柱材に固定される、防水装置の柱体とする。
【００１４】
また、請求項２に記載のごとく、
柱材と、傾斜下ベース部材及び傾斜上ベース部材は、
柱材に設けた貫通穴と、
傾斜下ベース部材及び傾斜上ベース部材に設けた貫通穴に、
固定ボルトを挿入して締め付けることで連結されるものであり、
柱材に設けた貫通穴、及び／又は、
傾斜下ベース部材及び傾斜上ベース部材に設けた貫通穴は、
長孔形状とする。
【００１５】
また、請求項３に記載のごとく、
傾斜下ベース部材、及び、傾斜上ベース部材には、
傾斜下ベース部材、又は、傾斜上ベース部材が防水ラインＬの内側に配置される場合において、
防水ラインの内側から柱材を支えるための支持部が設けられており、
支持部と、柱材の間に形成される隙間には、
スペーサーが挿設可能に構成される、こととする。
【００１６】
また、請求項４に記載のごとく、
傾斜上ベース部材は、
傾斜地面に設置される底板部と、
底板部から平行に立設されて対向する一対の側板部、を有し
側板部の端面にて支持部が構成され、
支持部には、底板部と９０度以下の角度をなす傾斜が設けられている、こととする。
【発明の効果】
【００１７】
本発明の効果として、以下に示すような効果を奏する。
【００１８】
即ち、請求項１に記載の発明においては、柱材が垂直となるように柱体を組み立てることで、施工、納品を完了することができ、施工費用の削減、施工期間の短縮を図ることができる。
【００１９】
また、請求項２に記載の発明においては、簡易な構成により、両ベース部材の柱材に対する相対角度を変更可能とする構成が実現できる。
【００２０】
また、請求項３に記載の発明においては、スペーサーを介して柱材を傾斜下ベース部材、又は、傾斜上ベース部材にて、防水ラインの内側から柱材を支持することができ、外側から受ける水圧により柱材が傾くことをより確実に防止できる。
【００２１】
また、請求項４に記載の発明においては、傾斜地面において傾斜上ベース部材を設置した際に、柱材を傾斜上ベース部材側に傾けるようにして垂直を出すことができる、つまり、背板部と支持部が互いに干渉することがなく、柱材を直立させることが可能となる。
【図面の簡単な説明】
【００２２】
【図１】設置完了状態における防水装置の外観正面図。
【図２】設置完了状態における防水装置の平面図。
【図３】設置状態の中柱の側面図。
【図４】設置状態の中柱の水平断面図。
【図５】中柱を構成するベース部材について示す斜視図。
【図６】柱体と各ベース部材の構成について示す斜視図。
【図７】（Ａ）はベース部材と柱材を仮組みした状態について示す図。（Ｂ）は柱材の角度調整について示す図。
【図８】（Ａ）は防水ラインＬの「外側」が「傾斜上側」、「内側」が「傾斜下側」の場合について説明する図。（Ｂ）は防水ラインＬの「外側」が「傾斜下側」、「内側」が「傾斜上側」の場合について説明する図。
【図９】（Ａ）は防水ラインＬの「外側」が「傾斜上側」、「内側」が「傾斜下側」の場合の別実施例について説明する図。（Ｂ）は防水ラインＬの「外側」が「傾斜下側」、「内側」が「傾斜上側」の場合の別実施例について説明する図。
【発明を実施するための形態】
【００２３】
以下、本発明の実施形態を図面に基づいて説明する。
図１は設置完了状態における防水装置２の外観正面図、図２は設置完了状態における防水装置２の平面図である。
【００２４】
なお、以下の説明では、便宜のため、図１における矢印Ｘ方向を横方向、或いは、防水板１Ａ，１Ｂ，１Ｃの「横幅方向」とし、図２における矢印Ｄ方向であって防水ラインＬと直交する方向を「内外方向」とする。また、防水板によって防水が必要な出入口２０（開口部）を内側と外側に区切る防水ラインＬが形成され、防水ラインＬを基準として道路側などの水嵩が増していく側を「外側」とし、屋内側などの水の浸入を防ぐべき側を「内側」として位置関係を説明するものとする。また、図１は、図２において外側から臨む正面図とする。
【００２５】
図１及び図２に示すように、本実施例の防水装置２は、出入口２０に対向して立設される一対のガイドレール５０Ｒ，５０Ｌと、ガイドレール５０Ｒ，５０Ｌの間に立設される中柱７と、ガイドレール５０Ｒ，５０Ｌと中柱７の間に、それぞれ、順次上から差し込まれる複数の防水板１Ａ，１Ｂ，１Ｃと、を有して構成される。
【００２６】
各防水板１Ａ，１Ｂ，１Ｃは互いに嵌合／分離可能であり、コンパクトに倉庫内などに保管することができ、また、使用時及び撤去時における運搬作業も容易にできる。なお、本実施例の防水板１Ａ，１Ｂ，１Ｃは互いに嵌合／分離可能であるが、これは運搬可能な単位重量とすることを目的としているためであり、一枚の板体にて構成されることとしてもよい。
【００２７】
防水板１Ａ，１Ｂ，１Ｃの横幅方向（図１紙面左右方向（矢印Ｘ方向））の両側端部は、ガイドレール５０Ｒ，５０Ｌに形成される縦溝や中柱７の縦溝に夫々呑み込まれ、防水板１Ａ，１Ｂ，１Ｃが上下移動する際にはこれら縦溝によって各防水板がガイドされる。
【００２８】
ガイドレール５０Ｒ，５０Ｌは、出入口２０の両側方に配置される側壁６０Ｒ,６０Ｌの見込み面に付設されるほか、側壁６０Ｒ,６０Ｌに埋め込まれるものとすることや、側壁６０Ｒ,６０Ｌそのものに溝を形成して構成されるものであってもよい。ガイドレール５０Ｒ，５０Ｌは、その縦溝が垂直になるように施工され、施工後は側壁６０Ｒ,６０Ｌと一体化された状態で放置することができる。或いは、側壁６０Ｒ,６０Ｌに対し垂直に設置可能に着脱自在に設けられ、豪雨等の際に適時垂直に設置可能に構成されるものとしてもよい。
【００２９】
中柱７は、出入口２０の車の通行や人の通行の妨げとならないように、通常は設置されずに倉庫などに収容され、豪雨等の際に適時設置される。
【００３０】
次に、傾斜地面に設置可能な中柱７の構造について詳細に説明する。なお、以下で説明する中柱７の構造は、図１、図２に示されるガイドレール５０Ｒ，５０Ｌの構造に適用することも可能である。
【００３１】
図３は設置状態の中柱７の側面図であり、図４は設置状態の中柱７の水平断面図（図３のＡ−Ａ視）であり、図５は中柱７を構成するベース部材について示す斜視図であり、図６は柱体と各ベース部材の構成について示す斜視図であり、図７（Ａ）はベース部材を傾斜地面に設置した状態について示す図であり、図７（Ｂ）は柱材の角度調整について示す図（図４のＢ−Ｂ視）である。
【００３２】
図３乃至図７に示すように、中柱７は、柱材７１と、傾斜地面Ｇにおいて柱材７１を垂直に立設させる一対のベース部材であって、傾斜地面Ｇの傾斜下側に配置される傾斜下ベース部材７２と、傾斜地面Ｇの傾斜上側に配置される傾斜上ベース部材７３と、を有して構成される。
【００３３】
以下詳述すると、中柱７の柱材７１は、図６に示すように、一対の背板部７１ａ，７１ｂと、背板部７１ａ，７１ｂ同士を間隔を空けて接続するブリッジ板部７１ｃ，７１ｄと、各背板部７１ａ，７１ｂの端部においてブリッジ板部７１ｃ，７１ｄと反対方向に延出される側板部７１ｅ，７１ｆ，７１ｇ，７１ｈと、を有して構成される。背板部７１ａと側板部７１ｅ，７１ｆにより略コ字状の縦溝部７１ｗが形成され、同様に、背板部７１ｂと側板部７１ｇ，７１ｈにより略コ字状の縦溝部７１ｖが形成される。また、背板部７１ａ，７１ｂの間には鉛直縦方向の溝が形成され、この溝にて防水板を上下方向にガイドする縦溝７１ｍ，７１ｎが構成される。側板部７１ｅ，７１ｆ，７１ｇ，７１ｈの下部には、それぞれ、上下に間隔を空けて貫通穴７１ｘ，７１ｙが形成される。
【００３４】
また、図５に示すように、傾斜下ベース部材７２は、底板部７２ａと、底板部７２ａから平行に立設されて対向する一対の側板部７２ｂ，７２ｃと、を有して構成される。底板部７２ａの略中央部には貫通穴７２ｄが設けられ、側板部７２ｂ，７２ｃには、それぞれ、上側の上貫通穴７２ｘと下側の下貫通穴７２ｙが設けられる。側板部７２ｂ，７２ｃには、図７（Ｂ）に示すように、適宜保護用ゴム７２ｐが取り付けられる。
【００３５】
同様に、図５に示すように、傾斜上ベース部材７３は、底板部７３ａと、底板部７３ａから平行に立設されて対向する一対の側板部７３ｂ，７３ｃと、を有して構成される。底板部７３ａの略中央部には貫通穴７３ｄが設けられ、側板部７３ｂ，７３ｃには、それぞれ、上側の上貫通穴７３ｘと下側の下貫通穴７３ｙが設けられる。側板部７３ｂ，７３ｃには、図７（Ｂ）に示すように、適宜保護用ゴム７３ｐが取り付けられる。
【００３６】
また、図５に示すように、傾斜下ベース部材７２において、側板部７２ｂ，７２ｃには、柱材７１の背板部７１ａ（図６、図７（Ｂ）参照）と対向する支持部７２ｓ，７２ｔが形成される。本実施例では、側板部７２ｂ，７２ｃの端面にて支持部７２ｓ，７２ｔが構成されている。なお、この支持部７２ｓ，７２ｔは、側板部７２ｂ，７２ｃに設けられる別部材によって構成されるものであってもよい。
【００３７】
そして、図７（Ｂ）に示すように、この支持部７２ｓと背板部７１ｂの間には、隙間Ｓ１が確保され、この隙間Ｓ１に楔形状のスペーサー７４が挿入される。このスペーサー７４を挿入することにより、スペーサー７４を介して柱材７１（背板部７１ｂ）が支持部７２ｓに当接し、支持部７２ｓによって柱材７１を防水ラインＬの内側から押さえるようにして、外側から受ける水圧により柱材７１が上貫通穴７２ｘ及び下貫通穴７２ｙの長孔分だけ傾くことを防止できる。なお、スペーサー７４の形状は特に限定されるものではないが、本実施例では、図７に示されるように、下側に尖端部を設けた楔形状とし、様々な大きさの隙間S１に対応可能としている。また、背板部７１ｂに固定するためにビス７５（図７（Ｂ））を通すための貫通穴７４ａを板厚方向に設けた構成としている。
【００３８】
他方、図５に示すように、傾斜上ベース部材７３において、側板部７３ｂ，７３ｃには、柱材７１の背板部７１ｂ（図６、図７（Ｂ）参照）と対向する支持部７３ｓ，７３ｔが形成される。本実施例では、側板部７３ｂ，７３ｃの端面にて支持部７３ｓ，７３ｔが構成されている。なお、この支持部７３ｓ，７３ｔは、側板部７３ｓ，７３ｔに設けられる別部材によって構成されるものであってもよい。
【００３９】
そして、本実施例では、図５に示すように傾斜上ベース部材７３の支持部７３ｓ，７３ｔには、底板部７３ａと９０度以下の角度Ｒ１をなす傾斜が設けられている。換言すれば、底板部７３ａの板面に直交する垂線７３ｋに対し、側板部７３ｂ，７３ｃの面内方向（矢印Ｍ１）に傾く角度Ｒ２の傾斜が設けられている。
【００４０】
以上ように傾斜上ベース部材７３の支持部７３ｓ，７３ｔについて傾斜を設けることにより、図７（Ｂ）に示すように、傾斜地面Ｇにおいて傾斜上ベース部材７３を設置した際に、支持部７３ｓを垂直、或いは、垂直から傾いた状態とすることができ、柱材７１を傾斜上ベース部材７３側に傾けるようにして垂直を出すことができる、つまり、背板部７１aと支持部７３ｓが互いに干渉することがなく、柱材７１を直立させることが可能となる。このことを実現するために、図５における傾斜上ベース部材７３の角度Ｒ２は、想定される傾斜地面Ｇの角度Ｒ３（図７（Ｂ））よりも大きく設定される。
【００４１】
なお、図５に示す傾斜上ベース部材７３の角度Ｒ２は、本実施例の形態において、図７（Ｂ）に示すように背板部７１aと支持部７３ｓを干渉させないために設けられるものであり、この干渉が発生しない限りは、逆側（側板部７２ｂ，７２ｃの面外方向（矢印Ｍ２））に角度Ｒ２が設けられるものでもあってもよい。
【００４２】
また、図８（Ａ）は、防水ラインＬを基準として道路側などの水嵩が増していく側を「外側」とし、屋内側などの水の浸入を防ぐべき側を「内側」とした場合において、防水ラインＬの「外側」が「傾斜上側」、「内側」が「傾斜下側」となる箇所に、中柱７が設置される例が示されている。この場合には、防水ラインＬの内側に傾斜下ベース部材７２が配置されるとともに、隙間Ｓ１にスペーサー７４が挿入され、スペーサー７４を介して傾斜下ベース部材７２によって柱材７１を内側から押さえるようにして、外側から受ける水圧により柱材７１が傾くことを防止できる。
【００４３】
他方、図８（Ｂ）は、防水ラインＬの「外側」が「傾斜下側」、「内側」が「傾斜上側」となる箇所に、中柱７が設置される例が示されている。この場合には、防水ラインＬの内側に傾斜上ベース部材７３が配置されることになる。そして、この際、傾斜上ベース部材７３（支持部７３ｓ）と背板部７１ｂの間に隙間ができない場合には、傾斜上ベース部材７３によって柱材７１を内側から押さえるようにして、外側から受ける水圧により柱材７１が傾くことを防止できる。なお、傾斜上ベース部材７３（支持部７３ｓ）と背板部７１ｂの間に隙間ができる場合には、スペーサー７４を挿入してもよい。さらに、傾斜下ベース部材７２側の隙間Ｓ２にスペーサー７４を挿入することとしてもよい。
【００４４】
なお、以上の例からも明らかなように、傾斜地面Ｇの勾配は、防水ラインＬを挟んで「外側」が「傾斜上側」、「内側」が「傾斜下側」の場合（図８（Ａ））と、「外側」が「傾斜下側」、「内側」が「傾斜上側」の場合（図８（Ｂ））が想定され、いずれの場合においても、本発明は適用できる。
【００４５】
また、図８（Ａ）（Ｂ）に示される傾斜地面Ｇに関し、例えば、地下駐車場に通じる車路に防水装置を設置することを想定すると、勾配の角度Ｒ３（傾斜角度）は、地上出口付近の緩和勾配区間に設定される角度に対応するものであり、縦断勾配（水平距離／垂直距離×１００）が０％より大きく、８．５％以下であることが想定される。
【００４６】
また、図９（Ａ）（Ｂ）は、傾斜下ベース部材７２と傾斜上ベース部材７３について、上貫通穴７２ｘ，７３ｘと下貫通穴７２ｙ，７３ｙの位置、形状以外は同一の構成とする例について示している。図５で示される例との比較では、傾斜上ベース部材７３について角度Ｒ２を設けない構成とするものであり、背板部７１ａ，７１ｂと傾斜下ベース部材７２，傾斜上ベース部材７３の間に形成される隙間Ｓ３〜Ｓ６については、適宜図示せぬスペーサーを挿設することができる。このスペーサーは、隙間の上側から挿入するほか、横側、或いは、下側から挿入されるものであってもよい。
【００４７】
この例によれば、傾斜下ベース部材７２と傾斜上ベース部材７３について共通の部品を製作し、その後、上貫通穴７２ｘ，７３ｘと下貫通穴７２ｙ，７３ｙを適宜穴加工することでの対応が可能となり、穴加工前の部品の共通化が図られ、製作コストの削減が図られる。
【００４８】
次に、中柱７の施工手順について説明する。
まず、図７（Ａ）に示すように、柱材７１の縦溝部７１ｖの下部に傾斜下ベース部材７２の側板部７２ｂ，７２ｃを挿入し、また、柱材７１の縦溝部７１ｗの下部に傾斜上ベース部材７３の側板部７３ｂ，７３ｃを挿入した状態とする。そして、柱材７１側の貫通穴７１ｘ，７１ｙと、各ベース部材７２，７３の上貫通穴７２ｘ，７３ｘと下貫通穴７２ｙ，７３ｙの位置を合わせ、連結ボルト８６ｘ，８６ｙを用いて柱材７１と各ベース部材７２，７３を仮組みし、一体化させる。
【００４９】
次いで、図７（Ｂ）に示すように、傾斜地面Ｇの所定の位置に打ち込まれためねじアンカー８２，８３に対し、各ベース部材７２，７３の貫通穴７２ｄ，７３ｄの位置を合せつつ、固定ボルト８４，８５を挿し込んで各ベース部材７２，７３を傾斜地面Ｇに仮固定する。
【００５０】
次いで、柱材７１の縦溝を垂直にするための垂直出しが行われる。この垂直出しは、例えば、ガイドレール５０Ｒ，５０Ｌ（図２）の縦溝同士の間に水糸を張り、この水糸の位置と、柱材７１の縦溝を合せることや、柱材自体を下げ振りで立設することもできる。
【００５１】
また、本実施例では、各ベース部材７２，７３の上貫通穴７２ｘ，７３ｘと下貫通穴７２ｙ，７３ｙを長孔形状とし、長孔内での連結ボルト８６ｘ，８６ｙの移動を許容することで、柱材７１の両ベース部材７２，７３に対する相対角度を変更し、柱材７１の垂直出しが行える。
【００５２】
なお、上貫通穴７２ｘ，７３ｘと下貫通穴７２ｙ，７３ｙを長孔形状とすることに加え、或いは、上貫通穴７２ｘ，７３ｘと下貫通穴７２ｙ，７３ｙの代わりに、柱材７１の側の貫通穴７１ｘ，７１ｙを長孔形状とすることとしてもよい。或いは、柱材７１や各ベース部材７２，７３において、上下二箇所（三箇所などより多くてもよい）に貫通穴を配置するほか、一箇所のみとし、その一箇所を丸穴、又は、長孔とすることも考えられる。また、上貫通穴７２ｘ，７３ｘ及び下貫通穴７２ｙ，７３ｙは夫々が長孔になっているが、水平又は鉛直方向の長孔ではなく、図５に示す通り支持部７２ｓ，７２ｔ，７３ｓ，７３ｔ側から面内方向に下がった角度付長孔とし、下貫通穴７２ｙ，７３ｙより上貫通穴７２ｘ，７３ｘを幅広にすることが最良の形態である。
【００５３】
次いで、柱材７１を垂直に調整した状態で、連結ボルト８６ｘ，８６ｙと袋ナット８７（図４参照）を増し締めし、柱材７１と両ベース部材７２，７３を強固に連結する。これにより、両ベース部材７２，７３に対する柱材７１の相対角度を確定することができる。なお、意匠上の理由から袋ナットを使用しているが六角ナットを使用しても良い。
【００５４】
次いで、スペーサー７４を隙間Ｓ１に挿入するとともに、ビス７５にてスペーサー７４を背板部７１ｂに固定する。
【００５５】
以上のようにして、柱材７１に対し、ベース部材７２，７３とスペーサー７４が一体化され、傾斜地面Ｇ上に立設することができる。その後、固定ボルト８４，８５を緩めることで、中柱７を傾斜地面Ｇから取り外すことができる。
【００５６】
また、柱材７１とベース部材７２，７３を連結する前、或いは、連結した後において、図７（Ｂ）に示すように、柱材７１の下端部にスポンジゴムなどからなるパッキン部材７６が配設される。例えば、柱材７１において傾斜下側に配置される背板部７１ｂの下端部に沿うようにパッキン部材７６が貼接される。このパッキン部材７６により、中柱７の傾斜下側の部位において、柱材７１の下端部と傾斜地面Ｇの間に生じる僅かな隙間を密閉することができ、柱材７１と傾斜地面Ｇの間の隙間を通じた水の浸入を防止できる。
【００５７】
以上のように、柱材７１に対し、ベース部材７２，７３、スペーサー７４、パッキン部材７６が取り付けられた状態で、中柱７の施工作業が完了する。完了後は、各部材が一体となった中柱７は傾斜地面Ｇから取り外され、倉庫などで保管される。なお、中柱７が設置されない通常時では、傾斜地面Ｇのめねじアンカー８２，８３にキャップビスが取り付けられる。これにより、めねじアンカー８２，８３内の埃などの堆積を防止できる。
【００５８】
実際に防水装置を使用する際には、図３で示すように各部材が一体となった中柱７を傾斜地面Ｇに載置し、固定ボルト８４，８５を締め付けるだけで、中柱７（柱材７１）を垂直に設置できる。この際、再度の垂直出しの作業が必要とされることがないため、中柱７を誰でも短時間、かつ、容易に設置できる。
【００５９】
そして、中柱７を設置した後は、防水板１Ａ〜１Ｃを順次ガイドレール及び中柱の縦溝７１ｍに上側から差込み、上部キャップ７７を柱材７１の上部に固定して設置を完了できる。
【００６０】
以上のようにして本発明を実施することができる。
即ち、図１乃至図３に示すように、
防水ラインＬを形成する防水板１Ａの端部を支えるための柱材７１と、
防水ラインＬの一方側にて柱材７１及び傾斜地面Ｇに固定される傾斜下ベース部材７２と、
防水ラインＬの他方側にて柱材７１及び傾斜地面Ｇに固定される傾斜上ベース部材７３と、
を有し、
傾斜下ベース部材７２の柱材７１に対する相対角度が調整可能に構成され、
傾斜上ベース部材７３の柱材７１に対する相対角度が調整可能に構成され、
傾斜下ベース部材７２及び傾斜上ベース部材７３は、
柱材７１が傾斜地面Ｇに設置された際に柱材７１を垂直に立設させる角度において、柱材７１に固定される、
防水装置の柱体（中柱７）とするものである。
【００６１】
これにより、施工現場において、柱材７１が垂直となるように柱体（中柱７）を組み立てることで、施工、納品を完了することができ、施工費用の削減、施工期間の短縮を図ることができる。なお、この中柱７の構造は、図１、及び、図２に示されるガイドレール５０Ｒ，５０Ｌとして用いることも可能である。つまり、防水板を連装する防水板において、間口が広い設置箇所（出入口２０など）の中間部に配置され、両側の縦溝部に防水板が挿し込まれる中柱７として用いるほか、間口の端に設置され片側の縦溝部に防水板が挿し込まれる柱体の構成として利用することもできる。さらに、防水板を連装しない防水板において、間口の端に設置される柱体の構成として利用することもできる。
【００６２】
また、図７（Ｂ）に示すように、
柱材７１と、傾斜下ベース部材７２及び傾斜上ベース部材７３は、
柱材７１に設けた貫通穴７１ｘ，７１ｙと、
傾斜下ベース部材７２及び傾斜上ベース部材７３に設けた貫通穴（上貫通穴７２ｘ，７３ｘ，下貫通穴７２ｙ，７３ｙ）に、
固定ボルト８４，８５を挿入して締め付けることで連結されるものであり、
柱材７１に設けた貫通穴７１ｘ，７１ｙ、及び／又は、
傾斜下ベース部材７２及び傾斜上ベース部材７３に設けた貫通穴（上貫通穴７２ｘ，７３ｘ，下貫通穴７２ｙ，７３ｙ）は、
長孔形状とする。
【００６３】
これにより、簡易な構成により、両ベース部材７２，７３の柱材７１に対する相対角度を変更可能とする構成が実現できる。
【００６４】
また、図８（Ａ）（Ｂ）に示すように、
傾斜下ベース部材７２、及び、傾斜上ベース部材７３には、
傾斜下ベース部材７２、又は、傾斜上ベース部材７３が防水ラインＬの内側に配置される場合において、
防水ラインＬの内側から柱材７１を支えるための支持部７２ｓ，７３ｓが設けられており、
支持部７２ｓ，７３ｓと、柱材７１の間に形成される隙間には、
スペーサー７４が挿設可能に構成される、こととするものである。
【００６５】
これにより、スペーサー７４を介して柱材７１を傾斜下ベース部材７２、又は、傾斜上ベース部材７３にて、防水ラインＬの内側から柱材７１を支持することができ、外側から受ける水圧により柱材７１が傾くことをより確実に防止できる。
【００６６】
また、図５に示すように、
傾斜上ベース部材７３は、
傾斜地面Ｇに設置される底板部７３ａと、
底板部７３ａから平行に立設されて対向する一対の側板部７３ｂ，７３ｃと、を有し
側板部７３ｂ，７３ｃの端面にて支持部７３ｓ，７３ｔが構成され、
支持部７３ｓ，７３ｔには、底板部７３ａと９０度以下の角度Ｒ１をなす傾斜が設けられている、構成としている。
【００６７】
これにより、図７（Ｂ）に示すように、傾斜地面Ｇにおいて傾斜上ベース部材７３を設置した際に、柱材７１を傾斜上ベース部材７３側に傾けるようにして垂直を出すことができる、つまり、背板部７１ｂと支持部７３ｓが互いに干渉することがなく、柱材７１を直立させることが可能となる。
【産業上の利用可能性】
【００６８】
本発明は、建物の出入口や、地下施設への地上出入口などに設置され、豪雨時に雨水などが出入口内に浸入するのを堰き止めるための防水装置について、特に傾斜地面が構成される箇所において好適に適用できる。
【符号の説明】
【００６９】
１Ａ    防水板
２    防水装置
７    中柱
２０    出入口
５０Ｒ，５０Ｌ    ガイドレール
７１    柱材
７１ｍ    縦溝
７２    傾斜下ベース部材
７２ｓ    支持部
７３    傾斜上ベース部材
７３ｓ    支持部
７４    スペーサー
Ｇ    傾斜地面
Ｌ    防水ライン
Ｓ１    隙間
【図１】
0006465781.tif 000002
【図２】
0006465781.tif 000003
【図３】
0006465781.tif 000004
【図４】
0006465781.tif 000005
【図５】
0006465781.tif 000006
【図６】
0006465781.tif 000007
【図７】
0006465781.tif 000008
【図８】
0006465781.tif 000009
【図９】
0006465781.tif 000010